(57)【特許請求の範囲】
【請求項１】
着用時に臀部に密着し、少なくとも前記臀部を被覆する臀部被覆衣類であって、
着用時に臀部の後中心の臀裂部の上方の少なくとも仙骨近傍及び腰椎近傍の一方を含む第１の箇所、並びに少なくとも臀裂部下方を含む第２の箇所の通気性を、臀裂部及び当該臀裂部を挟んで左右部分の通気性よりも良くし、
前記第１の箇所が、着用時に臀部の後中心の臀裂部に形成され歩行時の脚部動作に伴い大きさが変化する縦長の空間に対し上方に連通し、前記第２の箇所が、前記空間に対し下方に連通した構成とされ、前記空間が、臀裂部の上方と下方の間を結ぶ空気流通路となり、
前記第１の箇所の通気性を、前記第２の箇所の通気性よりも良くした
ことを特徴とする臀部被覆衣類。
【請求項２】
通気性の良い素材を使用する方法及び面積を大きくする方法の少なくとも１つを採用することで、前記第１の箇所の通気性を、前記第２の箇所の通気性よりも良くしたことを特徴とする請求項１記載の臀部被覆衣類。
【請求項３】
前記第１の箇所及び前記第２の箇所と、前記臀裂部及び当該臀裂部を挟んで左右部分とに、異なる生地を使用することで、通気性の差異が設けられたことを特徴とする請求項１に記載の臀部被覆衣類。
【請求項４】
１枚の中で通気性の良い部分と通気性の悪い部分とを編み分けた生地を使用することで、前記第１の箇所及び前記第２の箇所と、前記臀裂部及び当該臀裂部を挟んで左右部分とに、通気性の差異が設けられたことを特徴とする請求項１に記載の臀部被覆衣類。
【請求項５】
前記臀裂部及び当該臀裂部を挟んで左右部分に樹脂加工を施すことで、前記第１の箇所及び前記第２の箇所に対し相対的に通気性を悪くしたことを特徴とする請求項１に記載の臀部被覆衣類。
【請求項６】
前記第１の箇所及び前記第２の箇所にオパール加工を施すことで、前記臀裂部及び当該臀裂部を挟んで左右部分に対し相対的に通気性を良くしたことを特徴とする請求項１に記載の臀部被覆衣類。
【請求項７】
前記第１の箇所では、少なくとも前記臀裂部の上端付近を頂点とする略二等辺三角形の領域における通気性を、前記臀裂部及び当該臀裂部を挟んで左右部分の通気性よりも良くしたことを特徴とする請求項１〜６の何れか１項に記載の臀部被覆衣類。
【請求項８】
前記第２の箇所では、少なくとも前記臀裂部の下端付近を頂点とする略二等辺三角形の領域における通気性を、前記臀裂部及び当該臀裂部を挟んで左右部分の通気性よりも良くしたことを特徴とする請求項１〜７の何れか１項に記載の臀部被覆衣類。
【請求項９】
前記第１の箇所及び前記第２の箇所に使用する生地がメッシュ地であることを特徴とする請求項１〜８の何れか１項に記載の臀部被覆衣類。
【請求項１０】
前記臀部被覆衣類は、ブリーフ、ショーツ、ガードル、ハイウエスト型のガードル、スポーツ用ボトム、スパッツ及びボディースーツを含むことを特徴とする請求項１〜９の何れか１項に記載の臀部被覆衣類。
【発明の詳細な説明】
【０００１】
【発明の属する技術分野】
本発明は、着用時に臀部に密着し、少なくとも臀部を被覆する臀部被覆衣類に関する。
【０００２】
なお、本明細書において、クロッチ部は本発明に係る第２の箇所に相当し、股下箇所だけでなく、少なくとも臀裂部下方を含む領域を意味する。また、仙骨部は本発明に係る第１の箇所に相当し、いわゆる仙骨付近だけでなく、臀裂部の上方の少なくとも仙骨近傍及び腰椎近傍の一方を含む領域を意味する。
【０００３】
また、本明細書で「伸縮性が低い」とは、外力に対し伸縮しにくく、伸ばした場合に強い反発力（縮む力）を生じる性質を意味する。また、「伸縮性が高い」とは、外力に対し伸縮し易く、伸ばした場合に生じる反発力（縮む力）が弱いという性質を意味する。
【０００４】
【従来の技術】
ガードル、ショーツ等の臀部にフィットするボトム下着は、お腹押さえやヒップアップといった体型補整機能を有し、広く普及している。ただ、このようなボトム下着は、夏季の着用時に汗をかいて、蒸れ感や熱のこもり感を感じるという題点があった。
【０００５】
特に、図９に示す臀部の後中心の臀裂部９０、この臀裂部９０の上方に連通した仙骨部９２及び下方に連通したクロッチ部９４において、皮膚温度が高く発汗量も多いという実験データが得られており、これらの部位で蒸れ感・熱のこもり感が顕著に感じられている。
【０００６】
既存商品には、一様に通気性の高い素材を使用したものがある。また、臀裂部、クロッチ部、腰部周辺等にメッシュ地等の通気性の良い素材を用いた下着等が各種提案されている（実用新案登録３０５２１１１号、実開昭４９−５８５２５号、実公平３−５４０９２号、実開昭６０−１１７８０４号、実公昭４３−１６６４８号等）。
【０００７】
【発明が解決しようとする課題】
しかしながら、通気性を良くしただけでは空気の動きはあまり発生しないため、熱のこもり感を解消する効果はあまり高くなく、着用者に涼しさ感を実感してもらえないのが現状である。
【０００８】
本発明は、上記課題を解消するために成されたものであり、従来の造形機能を保持しつつ、仙骨部、クロッチ部及び臀裂部の蒸れ感・熱のこもり感を解消することができる臀部被覆衣類を提供することを目的とする。
【０００９】
【課題を解決するための手段】
上記目的を達成するために、本発明に係る臀部被覆衣類は、着用時に臀部に密着し、少なくとも前記臀部を被覆する臀部被覆衣類であって、着用時に臀部の後中心の臀裂部の上方の少なくとも仙骨近傍及び腰椎近傍の一方を含む第１の箇所、並びに少なくとも臀裂部下方を含む第２の箇所の通気性を、臀裂部及び当該臀裂部を挟んで左右部分の通気性よりも良くし、前記第１の箇所が、着用時に臀部の後中心の臀裂部に形成され歩行時の脚部動作に伴い大きさが変化する縦長の空間に対し上方に連通し、前記第２の箇所が、前記空間に対し下方に連通した構成とされ、前記空間が、臀裂部の上方と下方の間を結ぶ空気流通路となり、前記第１の箇所の通気性を、前記第２の箇所の通気性よりも良くしたことを特徴とする。
【００１０】
ここで、第１の箇所は、仙骨近傍及び腰椎近傍のうち一方のみを含む場合もあれば、両方とも含む場合もあり、また、仙骨近傍及び腰椎近傍を含みながらさらに面積が広いこともある。第２の箇所は、臀裂部下方のみの場合もあれば、臀裂部下方を含んで股下箇所まで含む場合もある。
【００１１】
本発明によれば、着用時に臀部の後中心の臀裂部の上方の少なくとも仙骨近傍及び腰椎近傍の一方を含む第１の箇所、並びに少なくとも臀裂部下方を含む第２の箇所の通気性を、臀裂部及び当該臀裂部を挟んで左右部分の通気性よりも良くしたので、蒸れ感や熱のこもり感を感じやすい臀部箇所において臀裂部の上方と下方に空気の入口と出口が形成されることとなる。このため、臀裂部に空気の流通が発生し従来のものに比べて良好な通気性を実現することができ、臀部箇所における蒸れ感や熱のこもり感を解消することができる。また、通気性に差異を設けるという構造で実現できるので、従来からのヒップ等の造形機能を保持することができる。
【００１２】
また、第１の箇所が、着用時に臀部の後中心の臀裂部に形成され歩行時の脚部動作に伴い大きさが変化する縦長の空間に対し上方に連通し、第２の箇所が、当該空間に対し下方に連通した構成とされ、当該空間が、臀裂部の上方と下方の間を結ぶ空気流通路となる。
【００１３】
従って、歩行などの動作により上記縦長の空間の形状は変化し、また動作そのものによって空気の流れが生じる。このような縦長の空間に対し上方に連通した第１の箇所及び下方に連通した第２の箇所の通気性を、臀裂部及び当該臀裂部を挟んで左右部分の通気性よりも良くしたので、歩行時の脚部動作に伴い縦長の空間の大きさが変化すると、相対的に通気性が悪い臀裂部及び当該臀裂部を挟んで左右部分がポンプ部に、相対的に通気性が良い第１の箇所及び第２の箇所が吸排気部になり、ふいご現象により以下のような空気の流れが発生する。
【００１４】
即ち、図２（ａ）のように歩行時に一方の足が前に出たとき、図２（ｂ）のように上記臀裂部の空間が狭まるので、当該臀裂部に貯まっていた空気は、上方に連通した第１の箇所及び下方に連通した第２の箇所へ流れ排出される。そして、図２（ｃ）のように両足が揃ったとき、図２（ｄ）のように上記臀裂部の空間が広がるので、外気が第１の箇所及び第２の箇所から吸い込まれ当該臀裂部の空間に流れ込む。
【００１５】
このように着用時の歩行動作に伴い、第１の箇所、第２の箇所、及び臀裂部の空間に空気の流れが発生するので、これらの部位の通気性がさらに良くなり、蒸れ感・熱のこもり感を解消することができる。
特に、本発明では、第１の箇所の通気性が第２の箇所の通気性よりも良くなるよう構成することを特徴とする。一般に、臀裂部の上方の第１の箇所は第２の箇所よりも熱がこもりやすく体温そのものが若干高い箇所である。このため、第１、第２の箇所の両方の通気性を良くしつつも、これらの間では、第１の箇所の通気性が第２の箇所の通気性よりも良くなるよう構成することで、臀裂部の空間において下方から上方への通気が促進され、第１の箇所での放熱を促進し、例えば、着用者が涼しさを感じやすくなる。
このとき、通気性の良い素材を使用する方法及び面積を大きくする方法の少なくとも１つを採用することで、第１の箇所の通気性を第２の箇所の通気性よりも良くすることができる。即ち、通気性の良い素材を使用する方法のみを採用してもよいし、面積を大きくする方法のみを採用してもよいし、これら両方を組み合わせて採用してもよい。
【００１６】
本発明に係る臀部被覆衣類では、通気性の差異を設けるために、さまざまな手法を採用することができる。例えば、第１の箇所及び第２の箇所と、臀裂部及び当該臀裂部を挟んで左右部分とに、異なる生地を使用することで、通気性の差異を設けてもよいし、１枚の中で通気性の良い部分と通気性の悪い部分とを編み分けた生地を使用することで、第１の箇所及び第２の箇所と、臀裂部及び当該臀裂部を挟んで左右部分とに、通気性の差異を設けてもよい。
【００１７】
また、臀裂部及び当該臀裂部を挟んで左右部分に樹脂加工、例えば、樹脂の接着等、を施すことで、第１の箇所及び第２の箇所に対し相対的に通気性を悪くしてもよいし、第１の箇所及び第２の箇所にオパール加工、即ち、生地を溶かして薄くする加工、を施すことで、臀裂部及び当該臀裂部を挟んで左右部分に対し相対的に通気性を良くしてもよい。このように本発明の構成はさまざまな手法で実現可能であるという利点がある。
【００１８】
本発明に係る第１の箇所では、少なくとも臀裂部の上端付近を頂点とする略二等辺三角形の領域における通気性を、臀裂部及び当該臀裂部を挟んで左右部分の通気性よりも良くしたことを特徴とする。当該臀裂部の上端付近を頂点とする略二等辺三角形の領域は、臀裂部の空間と直結した部分なので、少なくとも当該略二等辺三角形の領域における通気性を相対的に良くすることで、上記ふいご現象による歩行時の空気の流れを発生させることができ、第１の箇所及び臀裂部の蒸れ感・熱のこもり感を解消することができる。
【００１９】
同じく、本発明に係る第２の箇所では、少なくとも臀裂部の下端付近を頂点とする略二等辺三角形の領域における通気性を、臀裂部及び当該臀裂部を挟んで左右部分の通気性よりも良くしたことを特徴とする。当該臀裂部の下端付近を頂点とする略二等辺三角形の領域は、臀裂部の空間と直結した部分なので、少なくとも当該略二等辺三角形の領域における通気性を相対的に良くすることで、上記ふいご現象による歩行時の空気の流れを発生させることができ、第２の箇所及び臀裂部の蒸れ感・熱のこもり感を解消することができる。
【００２０】
本発明では、第１の箇所及び第２の箇所に使用する生地としてメッシュ地を採用することができる。なお、第２の箇所の股下箇所に当接するクロッチ布をメッシュ地とし、このクロッチ布の内側に綿などの生地をさらに取り付けてもよい。
【００２３】
なお、通気性の良い素材を使用すれば、面積は小さくても通気性を良くする効果は大きい。また、通気性の差としては、第１の箇所の通気性は第２の箇所の通気性の２倍以上が好ましい。また、通気性を良くする第１の箇所の面積は１０平方センチメートル以上とすることが好ましく、さらには４０平方センチメートル以上とすることがより好ましい。第２の箇所の面積は５平方センチメートル以上とすることが好ましく、さらには１０平方センチメートル以上とすることがより好ましい。
【００２４】
本発明は、臀部に密着し少なくとも臀部を被覆する衣類であれば、さまざまなものに適用でき、本発明に係る臀部被覆衣類は、ブリーフ、ショーツ、ガードル、ハイウエスト型のガードル、スポーツ用ボトム、スパッツ及びボディースーツを含んでいる。このように汎用性が極めて高いという利点がある。
【００２５】
【発明の実施の形態】
以下、図面を参照しながら、本発明に係る臀部被覆衣類の実施形態としてガードルの例を説明する。
【００２６】
図１（ａ）〜（ｃ）に示すように、ガードル１０は、前身頃１２、左右一対の脚部及び臀部１４ａ、１４ｂ、クロッチ部１６及び仙骨部１８から成り、これらの生地は互いに縫着されている。
【００２７】
本実施形態で特徴的なことは、ガードル１０において、脚部及び臀部１４ａ、１４ｂに標準的又はそれ以下の通気性を有する生地（例えばパワーネット）を、クロッチ部１６及び仙骨部１８に上記生地よりも通気性の良い生地（例えばメッシュ布）を用いることで、クロッチ部１６及び仙骨部１８の通気性が脚部及び臀部１４ａ、１４ｂの通気性よりも相対的に良くなるよう構成されていることである。
【００２８】
通気性に差異を設ける方法としては、上記のように通気性の異なる複数の布をはぎ合わせる方法（所謂カット＆ソー）を採用してもよいし、１枚の生地の中に編み組織を変化させることにより通気性に差異を設け、通気性の異なる編み組織部位が所要箇所となるよう、生地を裁断し縫合する方法を採用してもよい。以下、採用可能な方法を説明する。
【００２９】
複数の布をはぎ合わせる方法としては、クロッチ部１６及び仙骨部１８に当接する通気性の良い素材として、経編素材であるメッシュパワーネット、柄パワーネット、ラッセルレース、ダブルラッセル等をあてる方法や、クロッチ部１６及び仙骨部１８にメッシュ調組織又は針抜き組織の丸編素材をあてる方法を採用することができる。なお、脚部及び臀部１４ａ、１４ｂの身生地素材に、サテンパワーネット、ツーウェイトリコット、ツーウェイラッセル、丸編ニット等を用いる方法を採用することができる。
【００３０】
一方、１枚仕立てで通気性に差異を設ける方法としては、編み組織を切り替える方法、樹脂加工による後処理、オパール加工による後処理等を採用することができる。このうち編み組織を切り替えて１枚の生地の中に通気性の異なる部位を形成する方法には、シングルラッシェル機による編み組織変化、丸編み機による編み組織変化、ダブルラッシェル機による編み組織変化、ダブルニット機による編み組織変化等が挙げられる。上記樹脂加工による後処理としては、生地に樹脂を接着或いは溶着するなどの加工を行うことで通気性を低下させる等の処理が挙げられる。オパール加工による後処理としては、生地の所要箇所を溶融し薄くさせることによって通気性の良い箇所を形成する等の処理が挙げられる。
【００３１】
次に、図２を用いて、本実施形態の作用を説明する。ガードル１０を着用したとき、臀裂部に沿って縦長の空間３０（図２（ｄ）参照）が形成されるが、歩行時の脚部動作により身体２０とガードル１０との間隔が変化するのに伴い、空間３０の大きさも変化する。ガードル１０では、仙骨部１８及びクロッチ部１６の通気性を脚部及び臀部１４ａ、１４ｂの通気性よりも良くしたので、歩行時の脚部動作に伴い空間３０の大きさが変化すると、相対的に通気性が悪い脚部及び臀部１４ａ、１４ｂがポンプ部に、相対的に通気性が良い仙骨部１８及びクロッチ部１６が吸排気部になり、ふいご現象により以下のような空気の流れが発生する。
【００３２】
即ち、歩行時には、図２（ａ）のように一方の足が他方の足よりも前に出た状態と、図２（ｃ）のように両足が揃った状態とが繰り返すことになるが、このうち図２（ａ）のように一方の足が前に出たとき、図２（ｂ）のように空間３０が狭まるので、空間３０に貯まっていた空気は、上方に連通した仙骨部１８及び下方に連通したクロッチ部１６へ流出し仙骨部１８及びクロッチ部１６から外部へ排出される。そして、図２（ｃ）のように両足が揃ったとき、図２（ｄ）のように空間３０が広がるので、外気が仙骨部１８及びクロッチ部１６から吸い込まれ空間３０に流れ込む。このため、歩行中は臀裂部の空間３０からの空気の排出と空気の吸い込みとが繰り返すことになる。
【００３３】
このように着用時の歩行動作に伴い、仙骨部１８及びクロッチ部１６と臀裂部の空間３０との間に空気の流れが発生するので、これらの部位の蒸れ感・熱のこもり感を解消することができる。また、所要箇所の通気性に差異を設けるという構造で実現することができ、その他の部位についてはヒップアップやお腹おさえのための構造を併用してもよく、また、通気性を必要としない部位にはサテンパワーネットなどの伸縮性の低い生地を使用することにより、従来からガードルが有するヒップ等の造形機能を保持することができる。
【００３４】
以下、仙骨部１８及びクロッチ部１６の通気性の良い部分（以下、「通気性良好部」という）の各種変形例を説明する。
【００３５】
まず、仙骨部１８に設ける通気性良好部は、図３（ａ）のように臀裂部の上端付近を頂点とし上端まで到達した略二等辺三角形の領域１８Ａとしてもよいし、図３（ｂ）のように臀裂部の上端付近を頂点の１つとした菱形の領域（いわゆる仙骨菱形の領域）１８Ｂとしてもよい。また、図１０（ａ）のように臀裂部の上端付近から上方へ広がる半円状の領域１８Ｃとしてもよいし、図１０（ｂ）のように仙骨部及び腰部に当接する底辺の長い三角形状の領域１８Ｄとしてもよいし、図１０（ｃ）のように五角形状の領域１８Ｅとしてもよい。また、仙骨部１８に設ける通気性良好部の形状は、花柄の模様など左右非対称な形状でもかまわない。
【００３６】
また、クロッチ部１６に設ける通気性良好部は、図４に示す各種形状を採用することができる。なお、図４の各図において上側が臀裂部の空間３０（図２（ｄ）参照）に連通した側である。
【００３７】
即ち、通気性良好部として、図４（ａ）のように臀裂部の空間３０（図２（ｄ）参照）と連通した略二等辺三角形の領域１６Ａを含む略五角形とし領域１６Ａの先端に丸みを持たせた態様、図４（ｂ）のように図４（ａ）と同様の略五角形とし領域１６Ｂの先端を尖った形状とした態様、図４（ｃ）のように図４（ａ）の略五角形から領域１６Ａを除いた略四角形とした態様、図４（ｄ）のように図４（ａ）と同様だが領域１６Ｃを略半円形とした態様、図４（ｅ）のように図４（ａ）の領域１６Ａのみを通気性良好部とした態様、図４（ｆ）のように図４（ｂ）の領域１６Ｂのみを通気性良好部とした態様、図４（ｇ）のように図４（ｄ）の領域１６Ｃのみを通気性良好部とした態様など、様々な態様を採用することができる。また、クロッチ部１６に設ける通気性良好部の形状は、花柄の模様など左右非対称な形状でもかまわない。
【００３８】
また、クロッチ部全体に１枚のメッシュ地のクロッチ布をあて、このクロッチ布の内側に綿などの生地をさらに取り付けてもよい。
【００３９】
ところで、本実施形態では、シングルジャガードラッセル編物による１枚の中で通気性の良い部分と通気性の悪い部分とを編み分けた生地を使用することで、通気性の異なる部分を設けることができる。その手法を、図１１を用いて説明する。
【００４０】
図１１に示す１枚のシングルジャガードラッセル編物１００の中に、半円弧状に編み組織を切替え、領域１００Ａ、１００Ｂを形成する。このうち領域１００Ｂはサテン調編み組織とする。サテン調編み組織は編み目が比較的つまっており通気性が低いが、一方で伸縮性が低い組織なので、この領域１００Ｂからロングガードルの左右見頃１０４を裁断し使用する。このように伸縮性の低い見頃でロングガードルを形成するため、体型補整機能を持たせることができる。
【００４１】
一方の領域１００Ａはメッシュ調編み組織とする。メッシュ調編み組織はサテン調編み組織に比べ編み目が粗く通気性が良い。このようなメッシュ調編み組織の領域１００Ａに、ロングガードルの上方の通気性を良くする部分が当接するように、左右見頃１０４を裁断する。また、クロッチ部に用いるクロッチ布１０２も領域１００Ａから裁断する。
【００４２】
このような左右見頃１０４の一対と、クロッチ布１０２と、図示しない腹部布の計４枚を縫合することによって、図１のようなロングガードル１０となる。なお、この場合、仙骨部１８は略二等辺三角形となるが、その２本の等辺部分は内側に窪んだ曲線となる。
【００４３】
また、本実施形態では、１枚の生地の中に異なる緊締力部及び異なる通気性部を編み分けることができるシングルジャガードラッセル編地のさらなる応用例として、当該シングルジャガードラッセル編地をショートガードル及びロングガードルに適用した例を説明する。
【００４４】
この手法の要点は、ショートガードルの例で説明すると、図１３に示す領域Ｓ１、Ｓ３、Ｓ４の様に曲線部を有する大きなジャカード柄を生地に編み込んで、１枚の生地の中に異なる通気性部を編み分け、さらに、生地の編み方向（矢印Ｐ方向）に帯状の領域ＳＡ、ＳＢ、ＳＣで弾性糸を直線状に切り替えることによって領域ＳＡ、ＳＢ、ＳＣにおける緊締力に差を設けることを特徴とする。こうした特徴を有するシングルジャガードラッセル編地を用いてガードルを作製するため、ヒップラインから２枚の生地を縫合することによって生じる縫合ラインの段差を無くすことができるとともに、縫合箇所も少なくて済むため、縫製の手間を削減することができ、生産効率を向上させることができる。
【００４５】
以下、ショートガードルへの適用例、ロングガードルへの適用例を順に説明する。まず、ショートガードルへの適用例に関する図１２（ａ）はショートガードルへの適用例を斜め後方から見た図を、図１２（ｂ）は正面から見た図を示し、図１３は編地の裁断前の状態を示している。
【００４６】
図１３では、領域Ｓ３が強サテン編み組織、領域Ｓ１、Ｓ４がメッシュ編み組織、領域Ｓ２、Ｓ５が弱サテン編み組織とされ、ラインＣ１が左右身頃の裁断線を表している。この裁断線Ｃ１の内側における領域Ｓ１〜Ｓ５が、それぞれ図１２の領域Ｓ１〜Ｓ５に対応する。
【００４７】
図１２（ａ）、（ｂ）においては、領域Ｓ３が、ヒップ下部からウエストにかけて湾曲したヒップ下部の幅約７ｃｍの帯状の領域に該当し、この領域Ｓ３を、伸びの少ない強サテン編み組織としたことで、ヒップアップ効果を奏する。
【００４８】
また、領域Ｓ４が臀裂部下方箇所に、領域Ｓ１が臀裂部上方箇所に、それぞれ相当し、これら領域Ｓ４、Ｓ１を、目の粗いメッシュ編み組織とし、他の目の詰まった強サテン編み組織や弱サテン編み組織部分よりも通気性を良くしている。これにより、前述したように、臀裂部上方の領域Ｓ１と臀裂部下方の領域Ｓ４間において、空気が流通し、蒸れを感じない通気性の良いガードルが実現する。なお、一例として、領域Ｓ４は幅９ｃｍ、高さ３．５ｃｍのかまぼこ形状とし、領域Ｓ１は底辺１５ｃｍ、高さ９ｃｍの二等辺三角形状としている。
【００４９】
領域Ｓ２、Ｓ５は、弱サテン編み組織とし、強サテン編み組織の領域Ｓ３よりは伸びを良くすることで、ヒップの膨らみに追随できる様にしている。
【００５０】
一方、図１３において生地の編み方向（矢印Ｐ方向）に沿って、弾性糸による緊締力の切り替えが施されており、領域ＳＣの緊締力が最も強く、以下、領域ＳＢ、領域ＳＡの順とされている。一例として、領域ＳＡには、２００デシテックス（以下「ｄｔｅｘ」と表記する）の弾性糸を１本挿入し、ヒップ下部に相当する幅４ｃｍの領域ＳＢには、２００ｄｔｅｘの弾性糸を２本挿入している。また、裾ラインに相当する幅３．５ｃｍの領域ＳＣには、２００ｄｔｅｘの弾性糸を３本挿入している。
【００５１】
これにより、ヒップ下部においては、幅約７ｃｍの緊締力の強い強サテンのジャカード編み組織の領域Ｓ３と、弾性糸が２本挿入された幅４ｃｍの領域ＳＢ、及びその下に弾性糸が３本挿入された幅３．５ｃｍの領域ＳＣとが、ほぼ重なることから、最も緊締力の強い部分が形成され、ヒップアップ効果が増大する。
【００５２】
次に、ロングガードルへの適用例を説明する。図１４（ａ）はロングガードルへの適用例を斜め後方から見た図を、図１４（ｂ）は正面から見た図を示し、図１５は編地の裁断前の状態を示している。
【００５３】
図１５では、領域Ｌ３が強サテン編み組織、領域Ｌ１、Ｌ４がメッシュ編み組織、領域Ｌ２、Ｌ５が弱サテン編み組織とされ、ラインＣ２が左右身頃の裁断線を表している。この裁断線Ｃ２の内側における領域Ｌ１〜Ｌ５が、それぞれ図１４の領域Ｌ１〜Ｌ５に対応する。
【００５４】
図１４（ａ）、（ｂ）においては、領域Ｌ３が、ヒップ下部からウエストにかけて湾曲したヒップ下部の幅約７ｃｍの帯状の領域に該当し、この領域Ｌ３を、伸びの少ない強サテン編み組織としたことで、ヒップアップ効果を奏する。
【００５５】
また、領域Ｌ４が臀裂部下方箇所に、領域Ｌ１が臀裂部上方箇所に、それぞれ相当し、これら領域Ｌ４、Ｌ１を、目の粗いメッシュ編み組織とし、他の目の詰まった強サテン編み組織や弱サテン編み組織部分よりも通気性を良くしている。これにより、前述したように、臀裂部上方の領域Ｌ１と臀裂部下方の領域Ｌ４間において、空気が流通し、蒸れを感じない通気性の良いガードルが実現する。なお、一例として、領域Ｌ４は幅５ｃｍ、高さ４．５ｃｍのかまぼこ形状とし、領域Ｌ１は底辺１６ｃｍ、高さ８ｃｍの二等辺三角形状としている。
【００５６】
領域Ｌ２、Ｌ５は、弱サテン編み組織とし、強サテン編み組織の領域Ｌ３よりは伸びを良くすることで、ヒップの膨らみに追随できるようにしている。
【００５７】
一方、図１５において生地の編み方向（矢印Ｑ方向）に沿って、弾性糸による緊締力の切り替えが施されており、領域ＬＣの緊締力が最も強く、以下、領域ＬＢ、領域ＬＡの順とされている。一例として、領域ＬＡには、２００ｄｔｅｘの弾性糸を１本挿入し、ヒップ下部から太腿に相当する幅１８ｃｍの領域ＬＢには、２００ｄｔｅｘの弾性糸を２本・１本・１本挿入している。これは、ウェール毎に、２本、１本、１本、２本、１本、１本、２本、１本、１本…と挿入していることを意味する。また、裾ラインに相当する幅３ｃｍの領域ＬＣには、２００ｄｔｅｘの弾性糸を２本挿入している。
【００５８】
これにより、ヒップ下部においては、幅約７ｃｍの緊締力の強い強サテンのジャカード編み組織の領域Ｌ３と、弾性糸が２本・１本・１本挿入された領域ＬＢとが、ほぼ重なることから、緊締力の強い部分が形成され、ヒップアップ効果が増大する。
【００５９】
なお、図１３、図１５では、ショート、ロングともに、ヒップに充当する見頃を示しており、これらの左右見頃は後中心の臀裂部で縫合される。これに別途、腹部布１枚とクロッチ布１枚とが縫合されガードルを形成する。
【００６０】
本実施形態ではガードルの例を説明したが、本発明は、臀部に密着し少なくとも臀部を被覆する衣類であれば、さまざまなものに適用することができる。例えば、図５に示すようなハイウエスト型のガードル４０、図６に示すようなショーツ５０、図７に示すようなブリーフ６０、図８に示すようなボディースーツ７０、その他、スポーツ用ボトムやスパッツ等においても、仙骨部及びクロッチ部（各図の斜線部分）の通気性を相対的に高くすることで、上記同様のふいご現象による歩行時の空気の流れを発生させることができ、仙骨部、臀裂部の蒸れ感・熱のこもり感を解消することができる。
【００６１】
なお、本発明は、ストッキングやタイツにも応用することができる。丸編みの編み組織を切り替えることによって、臀裂部上方及び下方を、その他の箇所に比べ、通気性の良い編み組織とすることで実現することができる。
【００６２】
また、本発明を適用する場合、ウエスト布にも、臀裂部上方及び下方と同様に、通気性の良いメッシュ布を採用してもよく、蒸れ感をさらに減少させることができる。
【００６３】
【発明の効果】
以上説明したように、本発明によれば、着用時に臀部の後中心の臀裂部に形成された縦長の空間に対し、上方に連通した仙骨部及び下方に連通したクロッチ部の通気性を、臀裂部及び当該臀裂部を挟んで左右部分の通気性よりも良くしたので、臀裂部への空気の流れが自然に発生するとともに、さらに歩行動作時には、ふいご現象により当該歩行動作に伴い、仙骨部、クロッチ部、及び臀裂部の空間に空気の流れが発生し、これらの部位の蒸れ感・熱のこもり感を解消することができる。
特に、本発明によれば、第１、第２の箇所の両方の通気性を良くしつつも、これらの間では、第１の箇所の通気性が第２の箇所の通気性よりも良くなるよう構成するため、臀裂部の空間において下方から上方への通気が促進され、第１の箇所での放熱を促進し、例えば、着用者が涼しさを感じやすくなる、という効果が得られる。
【図面の簡単な説明】
【図１】  発明の実施形態に係るガードルの外観図であり、（ａ）は前方から見た図、（ｂ）は後方から見た図、（ｃ）は下方から見た図である。
【図２】  本発明および発明の実施形態の作用を説明するための図であり、（ａ）は歩行時に一方の足を前に出したときの空気の流れを示す図であり、（ｂ）は臀裂部の空間が狭まり空気が排出されることを示す図であり、（ｃ）は歩行時に両足がそろったときの空気の流れを示す図であり、（ｄ）は臀裂部の空間が広がり空気が吸い込まれることを示す図である。
【図３】  ガードルの仙骨部の吸排気口の例を示す図であり、（ａ）は三角形状とした例を、（ｂ）は菱形状とした例を示す図である。
【図４】  （ａ）〜（ｇ）はガードルのクロッチ部の吸排気口の各種例を示す図である。
【図５】  ハイウエスト型のガードルへの適用例を示す図である。
【図６】  ショーツへの適用例を示す図である。
【図７】  ブリーフへの適用例を示す図である。
【図８】  ボディースーツへの適用例を示す図である。
【図９】  夏季の着用時に蒸れ感や熱のこもり感を感じやすい部位を説明するための図である。
【図１０】  ガードルの仙骨部の吸排気口の例を示す図であり、（ａ）は半円状とした例を、（ｂ）は底辺の長い三角形状とした例を、（ｃ）は五角形状とした例を示す図である。
【図１１】  ジャガードラッセル編物による１枚の中で通気性の良い部分と通気性の悪い部分とを編み分けた生地を使用する例を示す図である。
【図１２】  １枚の生地の中に異なる通気性部を編み分ける手法をショートガードルへ適用した例を示す図であり、（ａ）は斜め後方から見た図を、（ｂ）は正面から見た図を示す。
【図１３】  図１２のショートガードルの裁断前の編地を示す図である。
【図１４】  １枚の生地の中に異なる通気性部を編み分ける手法をロングガードルへ適用した例を示す図であり、（ａ）は斜め後方から見た図を、（ｂ）はほぼ正面から見た図を示す。
【図１５】  図１４のロングガードルの裁断前の編地を示す図である。
【符号の説明】
１０…ガードル、１４ａ、１４ｂ…脚部及び臀部、１６…クロッチ部、１８…仙骨部、３０…空間、４０…ハイウエスト型のガードル、５０…ショーツ、６０…ブリーフ、７０…ボディースーツ。
【図１】
0003836039.tif 000002
【図２】
0003836039.tif 000003
【図３】
0003836039.tif 000004
【図４】
0003836039.tif 000005
【図５】
0003836039.tif 000006
【図６】
0003836039.tif 000007
【図７】
0003836039.tif 000008
【図８】
0003836039.tif 000009
【図９】
0003836039.tif 000010
【図１０】
0003836039.tif 000011
【図１１】
0003836039.tif 000012
【図１２】
0003836039.tif 000013
【図１３】
0003836039.tif 000014
【図１４】
0003836039.tif 000015
【図１５】
0003836039.tif 000016